(57)【特許請求の範囲】
【請求項１】
ポリマーフィルムの真正性を決定するように動作する認証装置であって、
●  第１の波長または波長範囲の第１の光源に前記フィルムを露出し、
●  第２の波長または波長範囲の第２の光源であって、前記第１の波長または波長範囲は前記第２の波長または波長範囲とは異なる第２の光源に前記フィルムを露出し、
●  前記第１の光源に応じて前記フィルムの複屈折特性によって影響を受ける第１の影響を測定し、
●  前記第２の光源に応じて前記フィルムの複屈折特性によって影響を受ける第２の影響を測定し、
●  前記第１の影響と第２の影響の間の比較を表す値または値の範囲を、前記第１および第２の光源に応じた真正ポリマーの予め定められた複屈折特性に対応する特定された第１の影響と特定された第２の影響の間の比較を表す値または値の範囲と比較し、
●  １つまたは複数の前記比較に基づいて前記フィルムの真正性またはその他のものを示す真正性信号を出力する
ように動作する光学ベースの複屈折測定装置を備えた認証装置。
【請求項２】
前記第１および第２の光源に同時に前記フィルムを露出し、前記第１の影響と第２の影響の間の比較に基づいて真正性を決定するように動作する、請求項１に記載の装置。
【請求項３】
前記測定された影響はそれぞれ、前記フィルムから透過または反射した光の波長に関連するまたは前記波長である、請求項１または２に記載の装置。
【請求項４】
前記測定された影響はそれぞれ、前記フィルムから透過または反射した前記光の（元の波長または波長範囲と比べての）波長の遅延に関連するまたは波長の遅延である、請求項３に記載の装置。
【請求項５】
●  前記第１の影響を表す値または値の範囲を、前記第１の光源に応じた真正ポリマーフィルムの予め定められた複屈折特性に対応する特定された第１の影響を表す値または値の範囲と比較し、および／または
●  前記第２の影響を表す値または値の範囲を、前記第２の光源に応じて真正ポリマーフィルムの予め定められた複屈折特性に対応する特定された第２の影響を表す値または値の範囲と比較する
ように動作する、請求項１から４のいずれか一項に記載の装置。
【請求項６】
任意の個数の追加の（例えば、第３、第４、または第５の）光源に前記フィルムを露出させるように動作し、各々は、互いに異なるとともに前記第１および第２の波長または波長範囲の各々から異なる波長または波長範囲を有する、請求項１から５のいずれか一項に記載の装置。
【請求項７】
第３の光源に応じて前記フィルムの複屈折特性によって影響を受ける第３の影響を測定し、前記第３の影響と前記第１および第２の影響の片方または両方との間の比較を表す値または値の範囲を、前記第１および第３の、または第２および第３の、または第１、第２、および第３の光源に応じた真正ポリマーフィルムの予め定められた複屈折特性に対応する前記特定された第３の影響と前記第１および第２の影響の片方または両方との間の比較を表す値または値の範囲と比較するように構成される、請求項６に記載の装置。
【請求項８】
前記第３の影響を表す値または値の範囲を、前記第３の光源に応じた真正ポリマーフィルムの予め定められた複屈折特性に対応する特定された第３の影響を表す値または値の範囲と比較するように動作する、請求項７に記載の装置。
【請求項９】
ｎ番目の光源に応じて前記フィルムの複屈折特性によって影響を受けるｎ番目の影響を測定し、前記ｎ番目の影響と１つまたは複数の前記（ｎ−ｍ）番目の影響との比較（ただし、ｍは１からｎ−１の間の任意の数字）を表す値または値の範囲を、前記ｎ番目の光源および（ｎ−ｍ）番目の光源に応じた真正ポリマーフィルムの予め定められた複屈折特性に対応する前記特定されたｎ番目の影響と１つまたは複数の前記（ｎ−ｍ）番目の影響との間の比較を表す値または値の範囲と比較するように構成される、請求項６から８のいずれか一項に記載の装置。
【請求項１０】
前記ｎ番目の影響を表す値または値の範囲を、前記ｎ番目の光源に応じた真正ポリマーフィルムの予め定められた複屈折特性に対応する特定されたｎ番目の影響を表す値または値の範囲と比較するように動作する、請求項９に記載の装置。
【請求項１１】
ｎ番目の波長または波長範囲にわたって少なくとも１つの（ｎ−ｍ）番目の波長または波長範囲で前記フィルムの前記複屈折特性によって影響を受けるｎ番目の影響を測定するように動作し、前記ｎ番目の波長または波長範囲でおよび少なくとも１つの前記（ｎ−ｍ）番目の波長または波長範囲で測定されるような前記ｎ番目の影響を表す値または値の範囲を、前記ｎ番目の波長または波長範囲およびそれぞれの（ｎ−ｍ）番目の波長または波長範囲についての真正ポリマーフィルムの予め定められた複屈折特性に対応する特定されたｎ番目の影響を表すそれぞれの値または値の範囲と比較し、前記比較に基づいて前記フィルムの真正性またはその他のものを示す真正性信号を出力するように動作する、請求項９または１０に記載の装置。
【請求項１２】
ｎ番目の波長または波長範囲でおよび少なくとも１つの（ｎ−ｍ）番目の波長または波長範囲で測定されるような前記ｎ番目の影響を表す前記値または値の範囲を、それぞれのｎ番目および（ｎ−ｍ）番目の波長または波長範囲で第１の本物タイプのポリマーフィルムの予め定められた複屈折特性に対応する特定されたｎ番目の影響を表す前記値または値の範囲と比較し、前記比較に基づいて第１の本物タイプまたはその他のものを含む前記フィルムを示す分類信号を出力するように動作する、請求項９から１１のいずれか一項に記載の装置。
【請求項１３】
ｎ番目の波長または波長範囲でおよび少なくとも１つの（ｎ−ｍ）番目の波長または波長範囲で前記フィルムの複屈折パターンをイメージングするための光学ベースの複屈折イメージング装置をさらに備え、前記複屈折パターンのイメージを前記それぞれのｎ番目および（ｎ−ｍ）番目の第１の波長または波長範囲で真正ポリマーフィルムの予め定められた複屈折パターンを表すそれぞれのイメージと比較し、前記比較に基づいて前記フィルムの真正性またはその他のものを示す真正性信号を出力するように動作する、請求項９から１２のいずれか一項に記載の装置。
【請求項１４】
前記装置の測定領域内に位置する前記フィルムの第１の側を光で照明するように位置し動作する光源と、前記第１の光源によって発せられた光の少なくとも一部が内部を通過するように前記第１の光源と前記フィルムの前記第１の側との間に位置する第１の偏光子と、前記フィルムの第２の側に位置し、前記フィルムの内部を透過した前記光源からの光を受け取るように動作するイメージングデバイスと、前記フィルムの内部を透過した光の少なくとも一部が内部を透過するように前記フィルムの前記第２の側と前記イメージングデバイスとの間に位置する第２の偏光子とを備え、前記イメージングデバイスは、前記フィルムを透過して前記イメージングデバイスで受け取られる光に基づいて、イメージされた複屈折パターンを表すデータを出力するように動作する、請求項１３に記載の装置。
【請求項１５】
１つまたは複数の偏光子を組み込むように改良された接触イメージセンシング装置である、請求項１から１４のいずれか一項に記載の装置。
【請求項１６】
前記フィルムの真正性またはその他のものを示す前記真正性信号の比較を支援するためにニューラルネットワークなどのマシンインテリジェンスを備えるように構成された、請求項１から１５のいずれか一項に記載の装置。
【請求項１７】
請求項１から１６のいずれか一項に記載の装置を備えた銀行券認証装置であって、銀行券の基体の少なくとも一部を形成するポリマーフィルムを含む前記銀行券の真正性を決定するように動作する銀行券認証装置。
【請求項１８】
請求項１から１７のいずれか一項に記載の前記装置によって認証することができる銀行券。
【請求項１９】
ポリマーフィルムの前記真正性を決定する方法であって、
●  光学ベースの複屈折測定装置を用意するステップと、
〇  第１の波長または波長範囲の第１の光源に前記装置内の前記フィルムを露出するステップと、
〇  第２の波長または波長範囲の第２の光源であって、前記第１の波長または波長範囲は前記第２の波長または波長範囲とは異なる第２の光源に前記装置内の前記フィルムを露出するステップと、
〇  前記第１の光源に応じて前記フィルムの複屈折特性によって影響を受ける第１の影響を測定するステップと、
〇  前記第２の光源に応じて前記フィルムの複屈折特性によって影響を受ける第２の影響を測定するステップと、
〇  前記第１の影響と第２の影響の間の比較を表す値または値の範囲を、前記第１および第２の光源に応じた真正ポリマーフィルムの予め定められた複屈折特性に対応する特定された第１の影響と特定された第２の影響の間の比較を表す値または値の範囲と比較するステップと、
〇  １つまたは複数の前記比較に基づいて前記フィルムの真正性またはその他のものを示す真正性信号を出力するステップとを含む方法。
【発明の詳細な説明】
【背景技術】
【０００１】
本発明は、認証装置および方法に関し、具体的には、限定するものではないが、ポリマーフィルムを認証する認証装置および方法に関する。
【０００２】
ポリマーフィルム（polymer film）は、セキュリティ、認証、同定、および偽造防止が重要である分野における基体としてますます使用されている。そのような分野におけるポリマーベースの製品は、例えば、銀行券、重要書類（例えば、例えばパスポートおよび土地権利などの身分証明資料、株券、および成績証明書）、偽造防止目的のために高価値商品を梱包するフィルム、およびセキュリティカードを含む。
【０００３】
本発明が特に役立つ応用の１つは、認証システムを銀行券選別機械に組み込むことに関する。
【０００４】
銀行券産業における高分子フィルム（polymeric film）材料の使用の増加は、偽造防止対策に関してより多くの従来の紙ベースの材料を上回る高分子フィルムによって示されたある種の利点に少なくとも一部起因し得る。我々の公表にかかる国際公開第２００９／１３３３９０号、国際公開第２０１２／０３２３６１号、国際公開第２０１４／０６０３６２号、国際公開第２０１４／１８１０８６号、国際公開第２０１４／１８１０８７号、国際公開第２０１４／１８１０８８号、国際公開第２０１４／１８１０８９号、および国際公開第２０１４／１８１０９０号に詳細に説明されているように、この点で役立つそのような材料の特性の一つは、複屈折である。これらの文献の多くは、様々なタイプのポリマーフィルム、それらの製造方法、および複屈折がそのようなフィルムに関連するときの複屈折の特性、ならびにその測定の方法およびその測定の使用についての詳細な説明を含み、これらの各文献の内容は、参照により本明細書に組み込まれる。
【０００５】
特に、国際公開第２０１４／１８１０８６号は、ポリマーフィルムの真正性を決定するように動作する認証装置であって、前記フィルムの平面に対して直角でない角度を含む第１の角度、ならびに第２の角度および第３の角度のうちの少なくとも１つから前記フィルムの複屈折特性によって影響を受ける第１の影響を測定するように動作する光学ベースの複屈折測定装置を備え、前記装置は、前記第１の角度から測定されたときの前記第１の影響を表す値または値の範囲を前記第１の角度について真正ポリマーフィルムの予め定められた複屈折特性に対応する特定された第１の影響を表す値または値の範囲と比較し、前記第２の角度および第３の角度のうちの前記少なくとも１つから測定されたときの前記第１の影響を表す値または値の範囲を第２の角度および／または第３の角度それぞれについて真正ポリマーフィルムの予め定められた複屈折特性に対応する特定された第１の影響を表す値または値の範囲と比較し、前記比較に基づいて前記フィルムの真正性またはその他のものを示す真正性信号を出力するように動作する認証装置を説明する。
【０００６】
国際公開第２０１４／０６０３６２号は、前記装置の測定領域内に位置する前記物品の一部が予め定められた複屈折特性を有するという検出に応答するフィルム基体を備えた物品の真正性を決定するように動作する認証装置であって、物品の少なくとも一部が前記認証装置の測定領域内に位置するか決定するように動作する物品検出装置と、光学ベースの複屈折測定装置とを備えており、前記認証装置は、測定された複屈折特性を予め定められた複屈折特性と比較し、前記比較に基づいて前記物品の真正性またはその他のものを示す真正性信号を生成するように動作し、前記装置は、前記物品検出装置による前記測定領域内の前記物品の前記少なくとも一部の存在またはその他のものの決定に応じて前記装置からの前記真正性信号の出力を制御するように動作する制御手段をさらに備える認証装置を説明する。
【０００７】
複屈折の特性は、真正性の信頼できる指標として役立つことが証明されており、それは、特に新しい技法がそのようなツールの信頼性および動作範囲を改善するように開発された可能性がある場合に、指示ツールとして有効により広く行き渡り得る。その測定または特徴付けのための装置を銀行券選別機械に関連する既存の確立された技術にバックインテグレートすることは特に望ましい。今まで、ある種の特注の低容積および幾分複雑な機械が開発されてきたが、確立された銀行券選別の実施と適合する単純、頑強、および信頼できる技法の継続的な必要性がある。単一の紙幣検出器から大型の選別デバイスまで及び得る認証分野における新しい製品のために複屈折の特徴付けの技術を適合させ改善する機会もある。
【発明の概要】
【発明が解決しようとする課題】
【０００８】
本発明は、異なる波長の少なくとも２つの異なる光源にフィルムを露出させることによってポリマーフィルムの真正性を決定するとともに、異なる波長でフィルムの比較された複屈折を参照して真正性を決定する方法および装置を提供する。
【課題を解決するための手段】
【０００９】
本発明の一態様によれば、ポリマーフィルムの真正性を決定するように動作する認証装置であって、
●  第１の波長または波長範囲の第１の光源にフィルムを露出し、
●  第２の波長または波長範囲の第２の光源であって、第１の波長または波長範囲は第２の波長または波長範囲とは異なる第２の光源にフィルムを露出し、
●  前記第１の光源に応じてフィルムの複屈折特性によって影響を受ける第１の影響を測定し、
●  前記第２の光源に応じてフィルムの複屈折特性によって影響を受ける第２の影響を測定し、
●  第１の影響と第２の影響の間の比較を表す値または値の範囲を、第１および第２の光源に応じた真正ポリマーフィルムの予め定められた複屈折特性に対応する特定された第１の影響と特定された第２の影響の間の比較を表す値または値の範囲と比較し、
●  １つまたは複数の比較に基づいてフィルムの真正性またはその他のものを示す真正性信号を出力する
ように動作する光学ベースの複屈折測定装置を備えた認証装置が提供される。
【００１０】
大部分の従来技術のシステムでは、複屈折は、白色光光源を用い、そして検出器で受け取られた光の強度を積分（本質的には平均化）する機器を用いて測定される。すなわち、測定は、白色スペクトルに全体わたって積分される。これは、ステンタフィルムについてとられた測定は、バブルプロセスフィルムについてとられた測定とかなり類似し得ることを意味してきた。
【００１１】
複屈折の測定は、０から１のスケールを用いて標準化されており、ただし、０の値は複屈折がないことを表す（すなわち、物品が存在しない一対の交差した偏光子）。１の値は、「半波」の特性（約２７５ｎｍの遅延）を有する物品が存在するときに複屈折を表す。従来技術の検出システムと共に使用される標準化された（すなわち、０から１）複屈折測定スケールでは、ＢＯＰＰバブルプロセスフィルムは、通常、標準化された複屈折測定スケールにおいて約０．０から約０．３からの測定読取り値を生じさせる。しかしながら、標準化された複屈折測定スケールにおける約０．４から約０．６の測定読取り値は、ステンタフィルムについてよく見受けられ得る。本発明の目的は、真正性決定の範囲および精度を従来技術のシステムにおいて実現されてきたものを超えて拡張することである。
【００１２】
例えば、国際公開第２００９／１３３３９０号に開示されたシステムは、認証されるフィルムが第１の偏光子と第２の偏光子の間に位置決めされる検出システムを備える。このシステムの光源は、白色光を発するように動作する。システムを通過するこの白色光は、一波長のみならず、波長範囲全体からなる光を含む。この範囲内の各波長は、それとその波長の間の関係に従って第２の偏光子で異なって干渉する。
【００１３】
国際公開第２００９／１３３３９０号に開示されたタイプのシステムを組み込む白色光の単一の検出器は、白色光源からの光全部の透過を単一の値に有効に統合するものであるシステムの検出器エンドにおける測定に影響を及ぼす。このため、それは、第１のオーダーよりも高い遅延で見られる色の変化を分解することができない。したがって、いくらかの情報が、このタイプのシステムによって得られる測定において失われる。
【００１４】
その結果、この測定技法は、かなり異なるフィルムを表すために複屈折を表す同様の値を返す。この透過レベルの理由は、まったく異なる。バブルフィルムは、観察者の目には白色に見える平らに近いスペクトルを有し、ステンタフィルムは、可視スペクトルの一部の損失の結果である特定の色を透過する。可視スペクトルの一部のこの損失は、積分強度を減少させるものである。
【００１５】
我々の公表にかかる国際公開第２０１４／１８１０８６号は、光源と検出器の間で伝わる光のビーム経路内に位置するように動作する波長フィルタリング要素の組み込みを示唆すことによってこれを可能にするためのいくつかのステップを採用する。装置は、検出測定を実行するためにそれに基づいて偏光された透過光のスペクトルの異なる部分を選択するように動作する。複屈折特性を決定する代替手段として交互の白色光源と色付きの光源が使用される代替の動作モードを使用することが示唆される。複屈折測定のための光源を特定の波長に調整またはフィルタ処理し、真正性の結論の出ない決定が光の第１の波長に応じた複屈折効果の決定に由来する場合に光の第２の波長に応じた複屈折効果を決定することの利益を認識することが望ましいものであり得ることを認識されよう。しかしながら、この公表は、複数の波長の光源を提供し、真正性を決定する手段としてそれらのうちの２つ以上によってもたらされる複屈折効果間の比較を用いるという実質的な利益を認識することができない。
【００１６】
好ましくは、本発明の認証装置は、第１および第２の光源に同時にフィルムを露出し、第１の影響と第２の影響の間の比較に基づいて真正性を決定するように動作する。
【００１７】
本発明の一実施形態では、測定された影響は、フィルムから透過および／または反射した光の波長に関連し得るまたは波長であり得る。例えば、測定された影響は、フィルムから透過および／または反射した光の（元の波長または波長範囲と比べての）波長の遅延に関連し得るまたは波長の遅延であり得る。
【００１８】
波長の遅延は、複屈折特性によって影響を受ける効果の一例と本明細書中ではみなされる。
【００１９】
本発明の認証装置は、真正性の決定を助けるためにさらなる比較を行うように、例えば、
〇  第１の影響を表す値または値の範囲を、第１の光源に応じた真正ポリマーフィルムの予め定められた複屈折特性に対応する特定された第１の影響を表す値または値の範囲と比較し、および／または
〇  第２の影響を表す値または値の範囲を、第２の光源に応じて真正ポリマーフィルムの予め定められた複屈折特性に対応する特定された第２の影響を表す値または値の範囲と比較するように動作することが望ましいものであり得る。
【００２０】
装置は、任意の個数の追加の（例えば、第３、第４、または第５の）光源にフィルムを露出させるようにさらに動作することができ、各々は、互いに異なるとともに第１および第２の波長または波長範囲の各々から異なる波長または波長範囲を有する。その場合には、そこで、装置は、例えば、第３の光源に応じてフィルムの複屈折特性によって影響を受ける第３の影響を測定し、第３の影響と第１および第２の影響の片方または両方との間の比較を表す値または値の範囲を、第１および第３の、または第２および第３の、または第１、第２、および第３の光源に応じた真正ポリマーフィルムの予め定められた複屈折特性に対応する特定された第３の影響と第１および第２の影響の片方または両方との間の比較を表す値または値の範囲と比較するように構成することができる。
【００２１】
第３の光源が存在する場合に、装置は、第３の影響を表す値または値の範囲を、第３の光源に応じた真正ポリマーフィルムの予め定められた複屈折特性に対応する特定された第３の影響を表す値または値の範囲と比較するようにさらに動作することができることが明らかであろう。
【００２２】
そして、装置は、例えば、ｎ番目の光源に応じてフィルムの複屈折特性によって影響を受けるｎ番目の影響を測定し、ｎ番目の影響と１つまたは複数の（ｎ−ｍ）番目の影響との比較（ただし、ｍは１からｎ−１の間の任意の数字）を表す値または値の範囲を、ｎ番目の光源および（ｎ−ｍ）番目の光源に応じた真正ポリマーフィルムの予め定められた複屈折特性に対応する特定されたｎ番目の影響と１つまたは複数の（ｎ−ｍ）番目の影響との間の比較を表す値または値の範囲と比較するように構成することができることがさらに理解されよう。
【００２３】
これらの場合には、装置は、ｎ番目の影響を表す値または値の範囲を、ｎ番目の光源に応じた真正ポリマーフィルムの予め定められた複屈折特性に対応する特定されたｎ番目の影響を表す値または値の範囲と比較するように動作することができることも明らかであろう。
【００２４】
第１の波長または波長範囲は、約６６０±２０ｎｍからの範囲内の少なくとも１つの波長を備えることができる。したがって、第１の波長または波長範囲は、スペクトルの赤領域内の可視光に全体または一部が対応することができる。
【００２５】
第２の波長または波長範囲は、約５５０±２０ｎｍからの範囲内の少なくとも１つの波長を含むことができる。したがって、第２の波長または波長範囲は、スペクトルの緑領域内の可視光に全体または一部が対応することができる。
【００２６】
第３の波長または波長範囲は、約４６０±２０ｎｍからの範囲内の少なくとも１つの波長を含むことができる。したがって、第３の波長または波長範囲は、スペクトルの青領域内の可視光に全体または一部が対応することができる。
【００２７】
装置は、バブルプロセスによって作製されたフィルムと異なるプロセスによって作製されたフィルムとの間で区別するように動作することができる。
【００２８】
光学ベースの複屈折測定装置は、上記光源または各光源との関連で、
●  波長または波長範囲の光を有する装置の測定領域内に位置するフィルムの第１の側を光で照明するように位置し動作する光源と、光源によって発せられた光の少なくとも一部が内部を通過するように光源とフィルムの第１の側との間に位置する第１の偏光子と、フィルムの第２の側に位置し、遅延波長または波長範囲でフィルムの内部を透過しおよび／またはフィルムから反射しフィルムの第２の側から透過および／または反射される光源からの光を受け取るように動作する検出器と、フィルムの内部を透過した光の少なくとも一部が内部を透過するようにフィルムの第２の側と検出器との間に位置する第２の偏光子とを備えることができ、検出器は、遅延波長または波長範囲でフィルムの第２の側から透過および／または反射された光に基づいて測定されるような複屈折効果を表す信号を出力するように動作する。
【００２９】
第１および／または第２の偏光子は、光源ごとに別個の偏光子をそれぞれ備えることができ、または任意の２つ以上の光源について同じ偏光子とすることができる。
【００３０】
検出器は、光源ごとに別個の検出器を備えることができ、または任意の２つ以上の光源について同じ偏光子とすることができる。
【００３１】
認証装置は、少なくとも２つの異なる波長の光に応じて複屈折効果間の比較を行うように動作することは本発明の必須の態様である。しかしながら、この比較を可能にするように装置を構成するためのやり方がいくつかあることは明らかであろう。第１の態様では、装置は、別個の光源と、例えばフォトダイオードアレイまたはＣＩＳ検出器などのフィルタ付きでない検出器とを備えることができる。第２の態様では、１つまたは複数の白色光源は、検出器および／または光源のいずれかに対する適切な波長フィルタと共に使用することができる。第３の態様として、３つの異なる光（赤、緑、および青）の波長が使用される場合に、業界標準のＲＧＢチップ（関連した波長フィルタを有するフォトダイオード）を光源として利用することも企図される。第１および第２の態様は、比較され得る波長／色の個数および性質の変更を許容することは明らかである。第３の態様は、ＲＧＢチャンネルの比較を制限するが、費用対効果の観点から十分魅力的であろう。
【００３２】
装置は、フィルムの第２の側に位置し、遅延したｎ番目の波長または波長範囲でフィルムの内部を透過しフィルムの第２の側から透過および／または反射されるｎ番目の光源からの光を受け取るように動作する１つまたは複数のｎ番目の検出器をさらに備えることができ、ｎ番目の検出器は、遅延したｎ番目の波長または波長範囲でフィルムの第２の側から透過および／または反射される光に基づいて測定されるときに、ｎ番目の影響を表す信号を出力するように動作する。
【００３３】
上記またはそれぞれの検出器によって出力された信号は、受け取った透過光の強度に比例し得る。
【００３４】
ｎ番目の検出器は、ｎ番目の波長または波長範囲から測定されたときのｎ番目の影響を表す出力信号の値を、ｎ番目の波長または波長範囲について真正ポリマーフィルムの予め定められた複屈折特性に対応する特定されたｎ番目の影響を表す値または値の範囲と比較するように動作するプロセッサへ出力信号を通信するように動作することができる。値または値の範囲は、真正フィルムが測定領域内に位置する場合に、ｎ番目の波長または波長範囲でフィルムの第２の側から透過および／または反射されるとともに、ｎ番目の検出器によって受け取られる光を表す少なくとも１つの予期されるｎ番目の検出器の出力信号値を含むことができる。
【００３５】
任意の検出器は、測定されたときｎ番目の影響を表すｎ番目の信号を出力するとともに、測定されたとき（ｎ−ｍ）番目の影響を表す（ｎ−ｍ）番目の信号を出力するように動作することができる。上記またはそれぞれの出力信号は、受け取った透過光の強度に比例し得る。
【００３６】
ｎ番目の検出器は、ｎ番目の出力信号の値を特定されたｎ番目の影響を表す値または値の範囲と比較するとともに、（ｎ−ｍ）番目の出力信号の値を予め定められたフィルムの透過率および／または反射率に対応する特定された（ｎ−ｍ）番目の影響を表す値または値の範囲と比較するように動作するプロセッサへｎ番目の出力信号および（ｎ−ｍ）番目の出力信号を通信するように動作することができる。
【００３７】
値または値の範囲は、真正フィルムが測定領域内に位置する場合に、フィルムの第２の側から透過および／または反射されるとともに、ｎ番目の検出器によって受け取られる光を表す少なくとも１つの予期されるｎ番目の出力信号値を含むことができる。
【００３８】
したがって、光学ベースの複屈折測定装置は、ｎ番目の波長または波長範囲にわたって少なくとも１つの（ｎ−ｍ）番目の波長または波長範囲でフィルムの複屈折特性によって影響を受けるｎ番目の影響を測定するように動作し、装置は、ｎ番目の波長または波長範囲でおよび少なくとも１つの（ｎ−ｍ）番目の波長または波長範囲で測定されるようなｎ番目の影響を表す値または値の範囲を、ｎ番目の波長または波長範囲およびそれぞれの（ｎ−ｍ）番目の波長または波長範囲についての真正ポリマーフィルムの予め定められた複屈折特性に対応する特定されたｎ番目の影響を表すそれぞれの値または値の範囲と比較し、比較に基づいてフィルムの真正性またはその他のものを示す真正性信号を出力するように動作することができる。
【００３９】
上記またはそれぞれのｎ番目の検出器は、ｎ番目および（ｎ−ｍ）番目の波長または波長範囲のいずれか１つまたは複数に応じて選択するように構成することができる。
【００４０】
装置は、ｎ番目の波長または波長範囲でおよび少なくとも１つの（ｎ−ｍ）番目の波長または波長範囲で測定されるようなｎ番目の影響を表す値または値の範囲を、それぞれのｎ番目および（ｎ−ｍ）番目の波長または波長範囲で第１の本物タイプのポリマーフィルムの予め定められた複屈折特性に対応する特定されたｎ番目の影響を表す値または値の範囲と比較し、比較に基づいて第１の本物タイプまたはその他のもの備えるフィルムを示す分類信号を出力するように動作することができる。
【００４１】
装置は、ｎ番目の波長または波長範囲でおよび少なくとも１つの（ｎ−ｍ）番目の波長または波長範囲でフィルムの複屈折パターンをイメージングするための光学ベースの複屈折イメージング装置をさらに備えることができ、この装置は、複屈折パターンのイメージをそれぞれのｎ番目および（ｎ−ｍ）番目の第１の波長または波長範囲で真正ポリマーフィルムの予め定められた複屈折パターンを表すそれぞれのイメージと比較し、比較に基づいてフィルムの真正性またはその他のものを示す真正性信号を出力するように動作する。
【００４２】
したがって、光学ベースの複屈折イメージング装置は、装置の測定領域内に位置するフィルムの第１の側を光で照明するように位置し動作する光源と、第１の光源によって発せられた光の少なくとも一部が内部を通過するように第１の光源とフィルムの第１の側との間に位置する第１の偏光子と、フィルムの第２の側に位置し、フィルムの内部を透過しフィルムの第２の側から透過および／または反射される光源からの光を受け取るように動作するイメージングデバイスと、フィルムの内部を透過した光の少なくとも一部が内部を透過するようにフィルムの第２の側とイメージングデバイスとの間に位置する第２の偏光子とを備えることができ、イメージングデバイスは、フィルムの第２の側から透過および／または反射されイメージングデバイスで受け取られる光に基づいて、イメージされた複屈折パターンを表すデータを出力するように動作する。
【００４３】
イメージングデバイスは、イメージされた複屈折パターンを表すデータを、出力データを予め定められた複屈折パターンを表すデータセットと比較するように動作するプロセッサへ出力するように動作することができる。
【００４４】
任意選択で、光源、第１の偏光子、および第２の偏光子のうちの少なくとも１つは、光学ベースの複屈折測定装置および／または光学ベースの測定装置のものと共通とすることができる。
【００４５】
イメージングデバイスは、感光性アレイを備えることができる。
【００４６】
認証装置は、上述したような真正性の決定を動作させるために有効である手段を組み込むように改良された接触イメージセンシング装置とすることができる。改良は、例えば、そのような装置のガラス接触面をガラス偏光子に置き換えることによって、またはそのような装置のガラス面のすぐ下に１つまたは複数の（好ましくは薄い）偏光子を挿入することによって１つまたは複数の偏光子を接触イメージセンシング装置に追加することを含み得る。
【００４７】
装置は、物品の基体の少なくとも一部を形成するポリマーフィルムで構成される物品を受け入れるように構成することができる。
【００４８】
本発明の別の態様によれば、上記の特徴のうちの１つまたは複数のいずれかを含む装置を備えた銀行券認証装置であって、銀行券の基体の少なくとも一部を形成するポリマーフィルムを含む銀行券の真正性を決定するように動作する装置を提供する。
【００４９】
上述したような１つまたは複数の特徴のいずれかを備えた装置は、ポリマーフィルムの真正性を決定するために使用することができる。
【００５０】
本発明の別の態様によれば、ポリマーフィルムの真正性を決定する方法であって、
●  上述されたように光学ベースの複屈折測定装置を用意するステップと、
〇  第１の波長または波長範囲の第１の光源に装置内のフィルムを露出するステップと、
〇  第２の波長または波長範囲の第２の光源であって、第１の波長または波長範囲は第２の波長または波長範囲とは異なる第２の光源に装置内のフィルムを露出するステップと、
〇  第１の光源に応じてフィルムの複屈折特性によって影響を受ける第１の影響を測定するステップと、
〇  第２の光源に応じてフィルムの複屈折特性によって影響を受ける第２の影響を測定するステップと、
〇  第１の影響と第２の影響の間の比較を表す値または値の範囲を、第１および第２の光源に応じた真正ポリマーフィルムの予め定められた複屈折特性に対応する特定された第１の影響と特定された第２の影響の間の比較を表す値または値の範囲と比較するステップと、
〇  １つまたは複数の比較に基づいてフィルムの真正性またはその他のものを示す真正性信号を出力するステップとを含む方法が提供される。
【００５１】
本発明の方法の他の態様は、装置の前述の説明から明らかになろう。前述したような装置の各特徴は、本発明の方法に適用可能であり、これは、前述の装置を用いたポリマーフィルムの真正性を決定する方法を説明するためのものである。
【００５２】
本発明の別の態様によれば、上述したようなおよび後述するような認証装置または方法の１つまたは複数の態様を実装するために、コンピュータプロセッサにおいて動作するコンピュータプログラム要素を含むコンピュータプログラムが提供される。
【００５３】
本発明の別の態様によれば、上述したようなコンピュータプログラムを担持するコンピュータ可読媒体が提供される。
【００５４】
認証装置の処理部内のニューラルネットワークなどのマシンインテリジェンスによって測定された第１および／または第２の影響に関連して得られたデータを処理することによって前述の装置に精度および感度を改善する方法も本発明により提供される。複屈折によって受ける影響（例えば、遅延）の正確な特定は、イメージ内の色のばらつき、感度データの信頼性、およびいくつかの遅延値における一部の信号と他の信号の近似などの他の要因に依存し得る。ニューラルネットワークは、これらの結果を改善するために使用することができる。人工ニューラルネットワークは、画像認識などの応用に数年間使用されてきた。例えば、所与の入力信号、所与の閾値を有し、所与の出力を出す人工神経は、入力信号によって刺激することができ、それによって入力信号が神経の活性化閾値よりも大きい場合、神経に重み付き出力信号を出させる、すなわち出力させる。
【００５５】
神経がいくつかの層に配置されるとき、それらは、ニューラルネットワークとして知られているものを発生させ、全てのニューラルネットワークは、正規化された一連の信号が入力される入力層と、その各神経がシステムのために出力される出力層とを有する。単純な二層構造は、線形関係に適しているのに過ぎず、より複雑なインタラクションは、入力と出力層の間に１つまたは複数の隠された層を必要とする。
【００５６】
入力層における全ての神経の出力は、隠された層または出力層における全ての神経の入力に接続され、神経がその閾値を上回って刺激される場合、それは、先の層の全神経からの組み合わされた出力がそれらの重み付き閾値の値の各々を超える場合、重み付き出力を興奮する次の層の全神経の中に出す。そのようなニューラルネットワークは、ＲＧＢ入力値から遅延値を特定するために使用することができる。
【００５７】
本発明の各態様による１つまたは複数の特定の実施形態は、単に例として、以下の図面を参照して説明される。
【図面の簡単な説明】
【００５８】
【図１】本発明によるＲＧＢ（赤／緑／青）チャンネルを動作させる認証装置の概略図である。
【図２】センサアレイチップの概略図である。
【図３】交差した偏光子を通じての複屈折材料のグレースケールイメージをグラフの形態で示す図である。
【図４ａ】赤、青、および緑の光源についての積分された遅延グラフである。
【図４ｂ】赤、青、および緑の光源についての積分された遅延グラフである。
【図４ｃ】赤、青、および緑の光源についての積分された遅延グラフである。
【発明を実施するための形態】
【００５９】
図１には、物品１０８（例えば、銀行券）の複屈折の特徴を測定するように動作する認証装置が示されている。特に、この認証装置は、認証装置の測定領域内に位置する物品１０８の一部の複屈折を測定するように動作する。
【００６０】
プロセッサ１０４（任意選択で、マイクロコントローラ）は、複屈折測定装置１０２を制御するように動作する。複屈折測定装置１０２の入力は、プロセッサ１０４に結合されているとともに、プロセッサ１０４によって制御可能である。複屈折測定装置１０２の出力は、プロセッサ１０４に結合されている。プロセッサ１０４は、複屈折測定装置１０２から受信した出力信号に基づいて、認証装置内の物品１０８が真正であるかどうか決定するように動作する。そのような決定の結果は、警報システム１０６によって（例えば、装置の操作者へ）示される。警報システム１０６は、プロセッサ１０４に結合されているとともに、前記プロセッサ１０４から受信した信号に基づいて真正性またはその他のものの指示を出力するように動作する。
【００６１】
複屈折測定装置１０２は、可視スペクトルの赤、緑、および青領域内で光を発生させるようにそれぞれ動作する３つの光源１１０ａ、１１０ｂ、および１１０ｃ（任意選択で、ＬＥＤ）と、第１の偏光子１１２と、第２の偏光子１１４と、３つの検出器１１６ａ、１１６ｂ、および１１６ｃ（任意選択で、フォトダイオード）とを備える。偏光子１１２、１１４は、ほぼ平行であるように離れて配向されている平面である。偏光子１１２、１１４の間の領域は、測定領域を画定する。
【００６２】
検出器１１６は、光源が背後からフィルムを照明し検出器が透過光を測定する透過と、フィルムの片面または両面から反射した光を検出する透過／反射といった２つの異なる基本構成で動作することができる。いずれの場合も、偏光子１１２、１１４は、交差または平行とすることができる。
【００６３】
検出器１１６は、複屈折効果（例えば、透過光および／または反射光の遅延）を検出するように動作する。しかしながら、検出器１１６は、測定フィルムのイメージを取り込むこともでき、または副次的な検出器が、それをするように配置されてもよい。改良されたＣＩＳユニットにおいて、イメージ取り込み検出器が存在することは明らかであろう。透過イメージングは、フィルム（例えば、銀行券）の印刷の細部が失われる結果になり得るのに対して、透過反射システムは、フィルムの背後からの透過光がＣＩＳユニットによって通常取り込まれる反射イメージに加えられることを可能にする。このようなシステムは、両面性であり得る（ＣＩＳユニットにわずかにオフセットがある場合、一方からの光は、他方からセンサ上を照らす）とともに、交差または平行であり得る。
【００６４】
複屈折測定装置１０２の各要素は、光源１１０および第１の偏光子１１２が複屈折測定装置１０２の測定領域の第１の側に位置し、第１の検出器１１６および第２の偏光子１１４が測定領域の第２の側に（すなわち、第１の光源１１０および第１の偏光子１１２の反対側に）位置するように構成されている。
【００６５】
光源１１０は、第１の偏光子１１２を光で照明するように動作する（図中に矢印ＩＬａ、ＩＬｂ、およびＩＬｃによって示されている）。この照明光ＩＬは、照明光ＩＬが内部を通過するときに第１の偏光子１１２によって偏光され、（図中の矢印ＰＩＬａ、ＰＩＬｂ、およびＰＩＬｃによって示された）偏光された照明光として測定領域内に位置する物品１０８の一部を照射し続ける。（矢印ＴＬａ、ＴＬｂ、およびＴＬｃによって示される）物品１０８の一部の内部を透過した偏光された照明光の一部は、第２の偏光子１１４に向かい続ける。この透過光ＴＬは、透過光ＴＬが内部を通過するときに第２の偏光子１１４によって偏光され、（矢印ＰＴＬａ１、ＰＴＬａ２、ＰＴＬａ３；ＰＴＬｂ１、ＰＴＬｂ２、ＰＴＬｂ３；ＰＴＬｃ１、ＰＴＬｃ２、ＰＴＬｃ３によって示された）偏光された透過光として検出器１１６ａ、１１６ｂ、および１１６ｃに向かい続ける。各検出器１１６（ａ、ｂ、もしくはｃ）は、偏光された透過光ＰＴＬ（ａ、ｂ、もしくはｃ）１、ＰＴＬ（ａ、ｂ、もしくはｃ）２、またはＰＴＬ（ａ、ｂ、もしくはｃ）３を受けるように位置し、配向され、および動作する。
【００６６】
図示した実施形態は、スペクトルがＲＧＢ領域内の３コンポーネントの光源を表すが、原理上はｎ個のコンポーネントの光源が使用されてもよいことが前述から理解されよう。
【００６７】
測定領域は、間隔をおいて配置された偏光子１１２、１１４の間の平面を概して画定する。第１の偏光子１１２は、この第１の平面から間隔をおいて配置されているとともに、測定領域の第１の「上流」側で第２の平面内に位置する。第２の平面は、第１の平面にほぼ平行である。同様に、第２の偏光子１１４は、第１の平面から間隔をおいて配置されているとともに、測定領域の第２の「下流」側で第３の平面内に位置する。それは、第１の偏光子１１２の反対側に位置し、第３の平面は、第１および第２の平面にほぼ平行である。第１および第２の偏光子１１２、１１４の透過配向の装置は、第１および第２の偏光子１１２、１１４が交差した偏光子を備えるようになっている。すなわち、第１の偏光子１１２は、その透過配向が測定領域内に位置する物品１０８の一部の透過配向に対して約＋４５°であるように配置されている。第２の偏光子１１４は、その透過配向が測定領域内に位置する物品１０８の一部の透過配向に対して約−４５°であるように配置されている。代替として、第１の偏光子１１２の透過配向は、測定領域内に位置する物品１０８の一部の透過配向に対してそれが約−４５°であるようなものであり得るとともに、第２の偏光子１１４の透過配向は、測定領域内に位置する物品１０８の一部の透過配向に対してそれが約＋４５°であるようにあり得る。
【００６８】
したがって、図示の装置において、光源１１０ａ、１１０ｂ、１１０ｃによって発せられた照明光ＩＬａ、ＩＬｂ、ＩＬｃは、第１の偏光子１１２によって偏光され、偏光された照明光ＰＩＬａ、ＰＩＬｂ、ＰＩＬｃとして測定領域内に位置する物品１０８の一部を照射する。この偏光された照明光は、物品１０８を通過し、透過光ＴＬａ、ＴＬｂ、ＴＬｃとして第２の偏光子１１４（すなわち、交差した偏光子）へ進み続ける。透過光は、第２の偏光子１１４を通過し、検出器１１６によって受け取られるように偏光された透過光ＰＴＬ（ａ、ｂ、もしくはｃ）１、ＰＴＬ（ａ、ｂ、もしくはｃ）２、またはＰＴＬ（ａ、ｂ、もしくはｃ）３として進み続ける。検出器１１６は、そこに入射する偏光された透過光ＰＴＬ（ａ、ｂ、もしくはｃ）１、またはＰＴＬ（ａ、ｂ、もしくはｃ）２、またはＰＴＬ（ａ、ｂ、もしくはｃ）３の検出に応答して、偏光された透過光ＰＴＬ（ａ、ｂ、もしくはｃ）１、またはＰＴＬ（ａ、ｂ、もしくはｃ）２、またはＰＴＬ（ａ、ｂ、もしくはｃ）３の強度に比例する信号をそれぞれプロセッサ１０４へ出力する。
【００６９】
図示の装置において、検出器１１６は、３つの異なる波長または波長範囲で、すなわち光源１１０ａからの第１の遅延波長または遅延波長範囲で、光源１１０ｂからの第２の遅延波長または遅延波長範囲で、および光源１１０ｃからの第３の遅延波長または遅延波長範囲で、第２の偏光子１１４から透過および／または反射され受け取られた偏光された透過光を測定するように動作する。このようにして、検出器１１６は、３つの測定信号をプロセッサ１０４へ出力する。
【００７０】
（検出器１１６ａ、１１６ｂ、および１１６ｃは、この目的のために単一の検出器に組み合わせることができる。光源１１０ａ、１１０ｂ、および１１０ｃは、３つの異なる波長または波長範囲が同時にまたはほぼ同時に発することができるならば、単一の源から全て発せられてもよい。）
【００７１】
上記またはそれぞれの検出器１１６は、図２に概略的に示されたタイプのセンサアレイチップの形態で設けることができる。写真撮影用機器によく見られるこのタイプのチップは、ＲＧＢチャンネルにおける複数の読取り値が同時に取得されることを可能にし、スパイクをフィルタで除去し、そして雑音を減少させるように平均するように動作することもできる。このチップは２Ｄアレイのピクセルで構成され、各々は赤、緑、および青の３つのサブピクセルを備える。サブピクセル自体は、色付きのフィルタの背後に位置する標準的なフォトダイオード／フォトトランジスタ／ＣＭＯＳ／ＣＣＤ／ＨＭＯＳ／ＮＭＯＳ検出器で構成されている。色付きのフィルタは、別個のフィルムであってもよく、または光検出器の上へ（例えば、真空蒸着によって）直接堆積されてもよい。
【００７２】
この応用例では、一方の次元は、紙幣の幅を測定するために使用され、他方の次元は、紙幣の移送方向における信号を取得する。各画素は、紙幣の通過「スライス」の複屈折のそのそれ自体の移送方向プロファイルを形成する。２Ｄアレイの使用は、縦方向プロファイルの各部分について複数の点の収集を可能にし、データ収集（およびそのデータを平均する装置の能力）、測定の速度およびタイミングを改善し、機械を通じてのウインドウの移動をマッピングするとともに、信頼性試験（すなわち、各センサからの結果を組み合わせてウインドウの特定部分の寸法を測定するためにタイミング測定の使用）のための手段も提供もする。
【００７３】
プロセッサ１０４は、検出器１１６から３つの出力測定信号を受信すると、第１の受信信号の値をデータベース（図示せず）に記憶された第１のセットの予め定められた値と比較し、第２の受信信号の値をデータベースに記憶された第２のセットの予め定められた値と比較し、第３の受信信号の値をデータベースに記憶された第３のセットの予め定められた値と比較するように動作する。これらの予め定められた値は、真正物品（例えば、真正フィルム）が測定領域内に位置するときに予期される偏光された透過光の値に対応する。
【００７４】
図３は、グレースケールイメージを用いた従来技術の遅延の検出を示す。最大強度の０．３未満の値は、２７５ｎｍよりも大きい遅延値については生じ得ない（典型的なステンタ製造式フィルムについての値は８００ｎｍ＋であることと比較せよ）。０．３が真正高分子フィルムのための製造規格として設定されている場合、グレースケール解析は、この結果を確認し、したがってハンドヘルドおよびデスクトップの認証ユニットなどの小型デバイスにおける有用性を見出した。
【００７５】
ＲＧＢチャンネルは、（元の強度（Ｉｏ）について平らなソースがもはや存在しないことを除いて）同じやり方で計算されるそれらの積分された遅延グラフを有することができる。任意の波長における強度Ｉは、以下の式（１）によって計算することができる。
【００７６】
【数１】
0006631859.tif 000002
【００７７】
ただし、λは波長であり、ｋはストレッチ係数（ｋ＝１＋ｋ０λ、ただしｋ０は定数）であり、Ｒは遅延（ｎｍ）であり、Ｉｏは元の光源の強度である。光源における全ての波長を一緒に加えることによって積分された値を生成するものであり、これは、広帯域の光源に対する複屈折材料の挙動を説明する。図２は、白色光源（４００〜７００ｎｍ）についての積分された結果を示しており、これは、強度だけを検出するフォトダイオードなどの非識別検出器から期待される読取り値をシミュレートする。
【００７８】
図４（ａ）〜図４（ｃ）は、典型的な赤（６６０ｎｍ±２０ｎｍ、緑（５５０ｎｍ±２０ｎｍ）、および青（４６０ｎｍ±）の光源についてこれを示す。
【００７９】
図４（ａ）〜図４（ｃ）を比較すると、３つのトレースは、正弦波の周波数の観点、および遅延を伴う周波数の発生の観点でも異なる。３つのグラフは、第１の２７５ｎｍのみについて互いに対応する（これは、図２における大きい第１のピークに対応し、半波の遅延させるものの値である。プロセッサ１０４は、ＲΔＧ、ＲΔＢ、およびＢΔＧ、すなわち、それぞれの光源からの赤色光、青色光、および緑色光の間の遅延の差として特徴付けることができる、検出器１１６からの３つの出力測定信号を受信する。プロセッサ１０４は、以下のアルゴリズムに基づいて、真正性の結果を計算する。
●  ＲΔＧおよびＲΔＢおよびＢΔＧ＜閾値の場合、
●  遅延＜＝２７５ｎｍ
●  遅延＝平均（ＲＧＢ）−最小／（最大−最小）
●  さもなければ、
●  遅延＞２７５ｎｍ。
【００８０】
赤と緑の差、赤と青の差、および青と緑の差が設定閾値よりも小さい場合、遅延は、常に２７５ｎｍ未満であり、ＲＧＢ信号の平均をとり、最小値（空検出器）を減算し、この結果を最大値（１／２波の値）マイナス最小値（空検出器）で除算することによって計算することができる。
【００８１】
従来技術のシステムと比較して、これは８２．５ｎｍである０．３の強度における選択された製造規格値から２７５ｎｍへ複屈折の識別の範囲を増大させ、それによって測定スケールを３倍以上にし、より幅広い範囲の基体の検証を可能にする。
【００８２】
より複雑な処理アルゴリズムによって、この技法を、２７５ｎｍを超える遅延値を示す基体へ拡張することを可能にし得る。例えば、赤チャンネル、緑チャンネル、および青チャンネルについての測定値の比較は、期待値とどの遅延においてそれらが少なくとも異なっているかを決定するようになされた計算とを用いて行うことができる。
【００８３】
期待値の決定において、一定の２Ｄアレイは、以下の式（２）を用いて予め計算することができる。
【００８４】
【数２】
0006631859.tif 000003
【００８５】
各遅延レベルおよび各０〜２５５の画素値について、仮定的な画素値と色チャンネルについて期待される強度（Ｉｃｏｌｏｕｒ）の間の差は、二乗平均平方根法を用いて計算することができる。チャンネルごとに計算されるとき、画素が画素レベル（０〜２５５）である場合、Ｉｃｏｌｏｕｒは、遅延ｒにおけるチャンネルについての期待値である。３つの２Ｄアレイの情報は、比較のために本装置のプロセッサに記憶することができる。
【００８６】
２７５ｎｍよりも大きい遅延値についての第２のアルゴリズムは、以下の通り公式化することができる。
Ｒｅｓｕｌｔ＝１６００００００
ｒ＝０であり、４０００まで
Ｔｅｓｔ＝ＲｅｄＡｒｒａｙ［Ｒｅｄ，ｒ］＋ＧｒｅｅｎＡｒｒａｙ［Ｇｒｅｅｎ，ｒ］＋ＢｌｕｅＡｒｒａｙ［Ｂｌｕｅ，ｒ］
Ｔｅｓｔ＜Ｒｅｓｕｌｔの場合
Ｒｅｓｕｌｔ＝Ｔｅｓｔ
ｒ回反復する。
【００８７】
Ｒｅｓｕｌｔが回答である場合、ｒは遅延であり、ＲｅｄＡｒｒａｙ、ＧｒｅｅｎＡｒｒａｙ、およびＢｌｕｅＡｒｒａｙは、チャンネルごとの比較アレイであり、Ｒｅｄ、Ｇｒｅｅｎ、およびＢｌｕｅは測定結果であり、Ｔｅｓｔは測定結果と記憶されたチャンネルの間の差の合計である。
【００８８】
このアルゴリズムは、測定されたＲＧＢチャンネルとそれらの記憶された値との間の差の合計値を比較するために、単一ループとして動作することができる。チャンネルごとの差は、記憶された各アレイを見ることによって見出され、アレイ内のアドレスは、遅延（ｒ）およびチャンネルごとの測定された画素値の座標によって与えられる。次いで、Ｔｅｓｔ値は、最初に高いレベルで設定することができるＲｅｓｕｌｔ値と比較され、Ｔｅｓｔ値がこれ未満である場合、Ｒｅｓｕｌｔは、Ｔｅｓｔ値によって置き換えられる。したがって、リアルタイムで、遅延を経るアルゴリズムサイクルは、それらを合計し、最小値に対して試験する。
【００８９】
プロセッサ１０４は、そのような比較を行った後に、警報システム１０６に、フィルム／物品が真正または非真正であることを示すよう指令するように動作する。比較の結果がポジティブ（すなわち、フィルムが真正である）場合、プロセッサは、フィルム／物品が真正であるという指示を発するための命令を含む警報システム１０６に信号を送信するように動作する。さもなければ、プロセッサは、フィルム／物品が非真正であるという指示を発するための命令を含む警報システム１０６に信号を送信するように動作する。
【図１】
0006631859.tif 000004
【図２】
0006631859.tif 000005
【図３】
0006631859.tif 000006
【図４ａ】
0006631859.tif 000007
【図４ｂ】
0006631859.tif 000008
【図４ｃ】
0006631859.tif 000009